(57)【要約】【課題】自分の好きなメロディーを自由に手動で演奏することができる手動演奏オルゴールを提供するものである。【解決手段】振動部固定リング４の片側に、複数個のノブ取付け部１５を設けた右手側ノブベース５を形成し、他方側に複数個のノブ取付け部１５を設けた左手側ノブベース６を形成し、右手側ケース２の開口した一方の端部を、前記右手側ノブベース５に取付け、左手側ケース３の開口した一方の端部を、前記左手側ノブベース６に取付け、振動部固定リング４の内側に振動部９を固定するブラケット７を設け、ここに複数本の振動板８を放射状に突設した振動部９を固定すると共に、振動板８の先端側に近接して爪部１７を突設したスライドノブ１０を前記ノブ取付け部１５にスライド自在に取付けて、スライドノブ１０をスライドさせて、ここに突設した爪部１７で振動板８の先端を弾くようにしたものである。【選択図】図１
2010277027.tif 000002
【特許請求の範囲】
【請求項１】
振動部固定リングの片側に、複数個のノブ取付け部を設けた右手側ノブベースを形成し、他方側に複数個のノブ取付け部を設けた左手側ノブベースを形成し、右手側ケースの開口した一方の端部を、前記右手側ノブベースに取付け、左手側ケースの開口した一方の端部を、前記左手側ノブベースに取付け、前記振動部固定リングの内側に振動部を固定するブラケットを設け、ここに金属で形成された複数本の振動板を放射状に突設した振動部を固定すると共に、振動板の先端側に近接して爪部を突設したスライドノブを、前記ノブ取付け部にスライド自在に取付けて、スライドノブをスライドさせてここに突設した爪部で振動板の先端を弾くようにしたことを特徴とする手動演奏オルゴール。
【請求項２】
右手側ケースの開口した一方の端部に、複数個のノブ取付け部を形成したリング状の右手側ノブベースを取付け、左手側ケースの開口した一方の端部に、複数個のノブ取付け部を形成したリング状の左手側ノブベースを取付け、左右のノブベースの間に、振動部固定リングを挟持して回転自在に接合し、この振動部固定リングの内側に振動部を固定するブラケットを設け、ここに金属で形成された複数本の振動板を放射状に突設した２個の振動部を位置をずらして固定すると共に、振動板の先端側に近接して爪部を突設したスライドノブを前記ノブ取付け部にスライド自在に取付けて、左右のケースとノブベースを回転させてスライドノブを振動板に近接させ、スライドノブをスライドさせ、ここに取付けた爪部で振動板の先端を弾くようにしたことを特徴とする手動演奏オルゴール。
【請求項３】
振動部固定リングの内側に設けた振動部を固定するブラケットに支持軸を水平に突設し、左右のノブベースの内側に軸支持ブラケットを設けて、ここに前記支持軸を貫通させて、左右のノブベースを回転自在に支持したことを特徴とする請求項２記載の手動演奏オルゴール。
【請求項４】
左右のノブベースに、左右５本の手の指に対応して５個のスライドノブを取付けたことを特徴とする請求項１または２記載の手動演奏オルゴール。
【請求項５】
スライドノブを，ノブベースに弾性体で支持して、自動的にスライドして復帰するようにしたことを特徴とする請求項１または２記載の手動演奏オルゴール。
【発明の詳細な説明】
【技術分野】
【０００１】
本発明は、手動で演奏できるオルゴールに関するものである。
【背景技術】
【０００２】
オルゴールは、柔らかな響きのある癒される音質で、手軽に聞くことできることから昔から多くの人に好まれて、宝石箱などに組込まれている。このオルゴールの構造は、円筒体に爪部（ピン）を取付けたシリンダー・オルゴールと、円盤に爪部を取付けたディスク・オルゴールとがある。一般に多く使用されているシリンダー・オルゴールは、金属で作られた円筒体の表面に爪部を突設し、ぜんまいばねで駆動するムーブメントに取付けて回転させることにより、音源である櫛状の振動板を爪部で弾いてメロディーを奏でるものである（特許文献１）。
【０００３】
しかしながら従来のオルゴールは、演奏する曲ごとにシリンダーが形成されているので、シリンダーを交換しないと別の曲を演奏することができなかった。また同じ曲が取付けられているので、何回も聞いているうちに飽きてしまう問題があった。
【先行技術文献】
【特許文献】
【０００４】
【特許文献１】特開平９−２３７０８４  図１１
【発明の概要】
【発明が解決しようとする課題】
【０００５】
本発明は上記問題を改善し、柔らかな響きのある癒される音質を奏でることができるオルゴールで、自分の好きなメロディーを自由に手動で演奏することができる手動演奏オルゴールを提供するものである。
【課題を解決するための手段】
【０００６】
本発明の請求項１記載の手動演奏オルゴールは、振動部固定リングの片側に、複数個のノブ取付け部を設けた右手側ノブベースを形成し、他方側に複数個のノブ取付け部を設けた左手側ノブベースを形成し、右手側ケースの開口した一方の端部を、前記右手側ノブベースに取付け、左手側ケースの開口した一方の端部を、前記左手側ノブベースに取付け、前記振動部固定リングの内側に振動部を固定するブラケットを設け、ここに金属で形成された複数本の振動板を放射状に突設した振動部を固定すると共に、振動板の先端側に近接して爪部を突設したスライドノブを前記ノブ取付け部にスライド自在に取付けて、スライドノブをスライドさせてここに突設した爪部で振動板の先端を弾くようにしたことを特徴とするものである。
【０００７】
本発明の請求項２記載の手動演奏オルゴールは、右手側ケースの開口した一方の端部に、複数個のノブ取付け部を形成したリング状の右手側ノブベースを取付け、左手側ケースの開口した一方の端部に、複数個のノブ取付け部を形成したリング状の左手側ノブベースを取付け、左右のノブベースの間に、振動部固定リングを挟持して回転自在に接合し、この振動部固定リングの内側に振動部を固定するブラケットを設け、ここに金属で形成された複数本の振動板を放射状に突設した２個の振動部を位置をずらして固定すると共に、振動板の先端側に近接して爪部を突設したスライドノブを、前記ノブ取付け部にスライド自在に取付けて、左右のケースとノブベースを回転させてスライドノブを振動板に近接させ、スライドノブをスライドさせ、ここに取付けた爪部で振動板の先端を弾くようにしたことを特徴とするものである。
【０００８】
本発明の請求項３記載の手動演奏オルゴールは、請求項２において、振動部固定リングの内側に設けた振動部を固定するブラケットに支持軸を水平に突設し、左右のノブベースの内側に軸支持ブラケットを設けて、ここに前記支持軸を貫通させて、左右のノブベースを回転自在に支持したことを特徴とするものである。
【０００９】
本発明の請求項４記載の手動演奏オルゴールは、請求項１または２において、左右のノブベースに、左右５本の手の指に対応して５個のスライドノブを取付けたことを特徴とするものである。更に請求項５記載の手動演奏オルゴールは、請求項１または２において、スライドノブを、ノブベースに弾性体で支持して、自動的にスライドして復帰するようにしたことを特徴とするものである。
【発明の効果】
【００１０】
本発明に係る請求項１記載の手動演奏オルゴールによれば、右手側ケースと左手側ケースを、両手の手のひらで掴み、各指でスライドノブを押えながらスライドさせると、この底面に突設した爪部が、近接した振動板を弾いて音が発生する。発生した音は、共鳴箱となるケースの空間で共鳴して音が拡大されて共鳴孔から外部に伝達される。音階の異なる振動板に対応して配置されたスライドノブをスライドさせることにより、好きなメロディーを手動で演奏できる新規な楽器である。また同時に複数のスライドノブをスライドさせることにより和音を発生させたり、スライドの速さを調整することにより音の強弱やテンポを変えることができる。
【００１１】
また請求項２記載の手動演奏オルゴールによれば、振動部固定リングの内側に振動部を固定するブラケットに、複数本の振動板を放射状に突設した２個の振動部を、位置をずらして固定すると共に、各振動板に対応して左右のノブベースを回転自在に支持したので、更に多数の音階の異なるメロディーを手動で演奏することができる。
【００１２】
また請求項３記載の手動演奏オルゴールによれば、振動部固定リングの内側の振動部を固定するブラケットに支持軸を水平に突設し、左右のノブベースの内側に軸支持ブラケットを設けて、ここに前記支持軸を貫通させて、左右のノブベースを回転自在に支持したので、確実にノブベースを回転させることができる。
【００１３】
また請求項４記載の手動演奏オルゴールによれば、左右のノブベースに、左右の５本の手の指に対応して５個のスライドノブを取付けたので、同時に１０の音階を奏でることができる。
【００１４】
また請求項５記載の手動演奏オルゴールによれば、スライドノブを、ノブベースに弾性体で支持して、自動的にスライドして復帰するようにしたので、演奏が容易である。
【発明を実施するための最良の形態】
【００１５】
以下本発明の実施の一形態を図１ないし図９を参照して詳細に説明する。図において１は手動演奏オルゴールを示すもので、２は右手側ケース、３は左手側ケースで、これらは一方を開口した半割卵形状に形成されている。４は振動部固定リングで、この片側にリング状の右手側ノブベース５が、他方側に左手側ノブベース６が一体に金属で形成されている。７は振動部固定リング６の内側に形成したブラケット、８は金属で形成された振動板で、９はこの振動板８を１０本放射状に突設して形成された振動部、１０はスライドノブである。
【００１６】
前記右手側ケース２と左手側ケース３は、開口部周縁にスライドノブ１０が挿入される５個の凹部１３がそれぞれ形成されていると共に、円筒部分に複数個の共鳴孔１４が開孔されている。また振動部固定リング４の左右に一体に形成された右手側ノブベース５と左手側ノブベース６には、図４に示すように前記凹部１３に対応して断面Ｔ形状のノブ取付け部１５が間隔をおいて５個ずつ形成されている。このノブ取付け部１５には図５に示すスライドノブ１０が左右にスライド自在に取付けられている。
【００１７】
このスライドノブ１０は片側がＴ形状に形成され、底面に爪部１７が突設されていると共に、上部に滑り止め１８が形成されている。このスライドノブ１０を右手側ノブベース５と左手側ノブベース６に形成したノブ取付け部１５に挿入してから、凹部１３に合わせ右手側ケース２と左手側ケース３を、右手側ノブベース５と左手側ノブベース６に嵌め合わせることにより、図２および図３に示すようにスライドノブ１０が左右にスライド自在に支持される。
【００１８】
また振動部固定リング４の内側には図１に示すようにブラケット７が中心に向かって突設され、ここに振動部９が固定されている。この振動部９は、図４および図６に示すように、半円形状の支持板２０の周縁に、１０本の長さの異なる振動板８を放射状に突設されている。振動板８は長さが異なり、振動することにより異なる音階の音が出る。この振動板８の先端側は、図３、図４、図８および図９に示すようにスライドノブ１０の爪部１７に近接して配置されている。つまり図４に示すように１０本の振動板８は１本おきに右手側ノブベース５の５個のスライドノブ１０と、左手側ノブベース６の５個のスライドノブ１０に対応して配置されている。この振動部９は図７に示すように、支持板２０と振動板８が金属板の切削加工または鋳造により一体に形成されている。
【００１９】
上記構成の手動演奏オルゴールは、右手側ケース２と左手側ケース３を、両手の手のひらで掴み、各指でスライドノブ１０の滑り止め１８を押えながら、左右にスライドさせる。スライドノブ１０の底面には爪部１７が突設され、これは図６に示す１０本の振動板８の先端側にそれぞれ対応して、この近傍に図８および図９に示すように配置されているので、スライドノブ１０をスライドさせると爪部１７が振動板８を弾いて音が発生する。発生した音は、右手側ケース２と振動部固定リング４および左手側ケース３で形成された空間が共鳴箱となって、共鳴し音が拡大されて共鳴孔１４から外部に伝達される。
【００２０】
音階の異なる振動板８に対応してスライドノブ１０をスライドさせることによりメロディーを演奏することができる。スライドノブ１０は左右どちらにスライドさせても音を出すことができ、また同時に複数のスライドノブ１０をスライドさせることにより和音を発生させることもでき、またスライドする速さを調整することにより音の強弱やテンポを変えることができる。
【００２１】
このように両手で掴んで手軽に演奏でき、従来は決まった曲しか自動演奏できなかったオルゴールに比べて、軽量で手軽に持ち運べて、手動で任意のメロディーをオルゴールで演奏することができる新規な楽器である。
【００２２】
図１０ないし図１２は本発明の他の実施の形態の手動演奏オルゴール１を示すもので、図１１に示すように振動部固定リング４と右手側ノブベース５および左手側ノブベース６は別個に形成されている。右手側ケース２の開口した一方の端部に、５個のノブ取付け部１５を形成したリング状の右手側ノブベース５を取付け、左手側ケース３の開口した一方の端部に、５個のノブ取付け部１５を形成したリング状の左手側ノブベース６を取付ける。
【００２３】
この左右のノブベース５、６の間に挟持される振動部固定リング４は、内側にブラケット７が設けられ、この先端にボス２２が設けられ、この両側に支持軸２３が水平に突設されている。ボス２２の両側には、金属で形成された１０本の振動板８を放射状に突設した２個の振動部９Ａ、９Ｂがそれぞれ取付けられている。各振動板８の長さは異なり違った音階を発生するようになっている。
【００２４】
また右手側ノブベース５と左手側ノブベース６の内側には、それぞれ軸支持ブラケット２４が設けられ、ここに前記支持軸２３を貫通させて、左右のノブベース５、６が回転自在に支持されている。スライドノブ１０を左右のノブベース５、６のノブ取付け部１５に挿入して、凹部１３に合わせて右手側ケース２と左手側ケース３を右手側ノブベース５と左手側ノブベース６に嵌め合わせることにより、図１０に示すようにスライドノブ１０が左右にスライド自在に支持されると共に、左右のノブベース５、６が回転自在に支持される。
【００２５】
振動部９Ａの１０本の振動板８は、右手側ノブベース５の５個のスライドノブ１０と１本おきに対応している。同様に振動部９Ｂの１０本の振動板８は、左手側ノブベース６の５個のスライドノブ１０と１本おきに対応している。
【００２６】
また振動部固定リング４の外周には図１１に示すように、１本のガイド線２５Ａが形成され、この近傍の左右のノブベース５、６の外周には２本ずつガイド線２５Ｂ〜２５Ｅが形成されている。なお図１と同一部分は同一符号を付してその説明を省略する。
【００２７】
上記構成の手動演奏オルゴールは、右手側ケース２と左手側ケース３を、両手の手のひらで掴み、各指でスライドノブ１０の滑り止め１８を押えながら、左右にスライドさせる。スライドノブ１０に突設した爪部１１が、１本おきに配置された振動板８の先端側にそれぞれ対応しているので、スライドノブ１０を左右にスライドさせると爪部１７が振動板８を弾いて音が発生する。
【００２８】
右手側ノブベース５と左手側ノブベース６は支持軸２３に回転自在に支持されているので、これと組合わせた右手側ケース２と左手側ケース３を手で回転させると、スライドノブ１０は、１本おきに配置された隣の振動板８に対応し、異なる音階を発生させることができる。つまり、図１２（Ａ）が通常の状態で、振動部固定リング４のガイド線２５Ａと、右手側ノブベース５のガイド線２５Ｂ、左手側ノブベース６のガイド線２５Ｄが一致している。
【００２９】
音階を変える場合、図１２（Ｂ）に示すように右手側ケース２を矢印方向に回転させると、ガイド線２５Ａとガイド線２５Ｃとガイド線２５Ｄが一致する。更に音階を変える場合、図１２（Ｃ）に示すように左手側ケース３を矢印方向に回転させると、ガイド線２５Ａとガイド線２５Ｃとガイド線２５Ｅが一致する。
【００３０】
このように左右１０本の指で、同時に１０本の振動板８を弾いて音を発生させることができると共に、右手側ケース２と左手側ケース３を回転させることにより更に異なる１０本の振動板８を弾いて音を発生でき、全体で２０の音階でメロディーを奏でることができる。
【００３１】
なお上記説明では振動板８を１０本突設した振動部９について説明したが、その本数はこれに限らず増減しても良い。また左手側ケース３にバンドを取付け、ここに手を通して手動演奏オルゴールを保持しながら演奏するようにしても良い。またスライドノブ１０にコイルスプリングなど弾性体を取付けて、スライドノブ１０を自動的に復帰させて、演奏を容易にした構造でも良い。またスライドノブを押しボタン状に形成し、上下にスライドするように形成したものでも良い。このように押しボタン状に形成して弾性体で自動復帰するように支持することにより、ボタンを押すだけで演奏することができる。また右手側ケース２と左手側ケース３は半割卵形に限らず他の形状でも良い。
【図面の簡単な説明】
【００３２】
【図１】本発明の実施の一形態による手動演奏オルゴールを分解して示す斜視図である。
【図２】図１の手動演奏オルゴールを示す正面図である。
【図３】図２に示す手動演奏オルゴールのＢーＢ線断面図である。
【図４】図２に示す手動演奏オルゴールのＡーＡ線断面図である。
【図５】スライドノブを示す斜視図である。
【図６】振動板を突設した振動部を示す斜視図である。
【図７】振動板の断面図である。
【図８】図３のＣ部を拡大して示す断面図である。
【図９】図３のＤ部を拡大して示す断面図である。
【図１０】本発明の他の実施の形態による回転式の手動演奏オルゴールを破断して示す斜視図である。
【図１１】図１０の回転式の手動演奏オルゴールを分解して示す斜視図である。
【図１２】図１０の回転式手動演奏オルゴールの右手側ケースと左手側ケースを回転させた状態を示す斜視図である。
【符号の説明】
【００３３】
１    手動演奏オルゴール                                    
２    右手側ケース                                          
３    左手側ケース                                          
４    振動部固定リング                                      
５    右手側ノブベース                                      
６    左手側ノブベース                                      
７    ブラケット                                            
８    振動板                                                
９    振動部                                                
１０  スライドノブ                                          
１１  爪部                                                  
１３  凹部                                                  
１４  共鳴孔                                                
１５  ノブ取付け部                                          
１７  爪部                                                  
１８  滑り止め                                              
２０  支持板                                                
２２  ボス                                                  
２３  支持軸                                                
２４  軸支持ブラケット                                      
【図１】
2010277027.tif 000003
【図２】
2010277027.tif 000004
【図３】
2010277027.tif 000005
【図４】
2010277027.tif 000006
【図５】
2010277027.tif 000007
【図６】
2010277027.tif 000008
【図７】
2010277027.tif 000009
【図８】
2010277027.tif 000010
【図９】
2010277027.tif 000011
【図１０】
2010277027.tif 000012
【図１１】
2010277027.tif 000013
【図１２】
2010277027.tif 000014